(57)【要約】【課題】装置の周囲の環境に応じた虫の数に関する情報をユーザに提供することができる捕虫システムを提供する。【解決手段】捕虫機構２９０と、制御部１１０，２１０とを備える捕虫システム１，１００が提供される。制御部１１０，２１０は、捕虫機構２９０の周囲の環境情報に基づいて、現在または将来の捕虫機構２９０の周囲の虫の数に関する情報を出力する。【選択図】図１
2020184932.tif 000002
【特許請求の範囲】
【請求項１】
捕虫機構と、
制御部とを備える捕虫システムであって、
前記制御部は、前記捕虫機構の周囲の環境情報に基づいて、現在または将来の前記捕虫機構の周囲の虫の数に関する情報を出力する、捕虫システム。
【請求項２】
前記制御部は、前記環境情報と前記虫の数の組み合わせの履歴に基づいて、現在または将来の前記捕虫機構の周囲の虫の数に関する情報を作成する、請求項１に記載の捕虫システム。
【請求項３】
前記制御部は、前記捕虫機構の周囲の虫の数に基づいて、前記捕虫機構を操作する、請求項１に記載の捕虫システム。
【請求項４】
前記捕虫機構は捕虫装置に搭載され、
前記制御部は、前記捕虫装置と通信可能なサーバに搭載され、
前記制御部は、前記現在または将来の前記捕虫機構の周囲の虫の数に関する情報を前記捕虫装置または通信端末に出力させる、請求項１から３に記載の捕虫システム。
【請求項５】
前記捕虫機構と、前記制御部と、スピーカまたはディスプレイと、が捕虫装置に搭載され、
前記制御部は、前記現在または将来の前記捕虫機構の周囲の虫の数に関する情報を前記スピーカまたは前記ディスプレイから出力させる、請求項１から３に記載の捕虫システム。
【請求項６】
複数の捕虫装置と通信するための通信インターフェイスと、
前記通信インターフェイスを利用することによって、前記捕虫装置の周囲の環境情報を取得して、現在または将来の前記捕虫装置の周囲の虫の数に関する情報を前記捕虫装置または通信端末に出力させるためのプロセッサと、を備えるサーバ。
【請求項７】
プロセッサが、通信インターフェイスを介して、捕虫装置の周囲の環境情報を取得するステップと、
プロセッサが、当該環境情報に基づいて現在または将来の前記捕虫装置の周囲の虫の数に関する情報を前記捕虫装置または通信端末に出力させるステップと、を備える情報処理方法。
【請求項８】
捕虫機構と、
サーバと通信するための通信インターフェイスと、
プロセッサと、
スピーカまたはディスプレイと、を備える捕虫装置であって、
前記プロセッサは、前記通信インターフェイスを介して前記サーバから、現在または将来の前記捕虫機構の周囲の虫の数に関する情報を受信して前記スピーカまたは前記ディスプレイから出力させる、捕虫装置。
【発明の詳細な説明】
【技術分野】
【０００１】
本発明は、空気中から虫やホコリを取り除くための空気清浄機の技術に関する。
【背景技術】
【０００２】
従来、空気清浄機に関する様々な技術が提案されている。たとえば、特開２０１８−１７４９３９号公報（特許文献１）には、送風機が開示されている。特許文献１によると、吸込口及び吹出口を有する筐体と、該筐体内に配置してあり、前記吸込口から吸気し、前記吹出口から排気する送風ファンとを備える送風機において、前記筐体は前記第一筐体と、前記第一筐体に取り付けられた第二筐体とを備え、前記第一筺体に前記第二筺体が取り付けられることによって、虫を捕獲するための空間が形成されることを特徴とする送風機が提供される。
【０００３】
また、国際公開第２０１８／２３５３０５号公報（特許文献２）には、送風装置が開示されている。特許文献２によると、送風装置は、空気の流入口および吹出口を有する筐体と、筐体の内部に配置された送風ファンと、流入口を覆って筐体に着脱可能に取り付けられ、流入口の外側に第１空間を規定し、第１空間への空気の吸込口を有するカバー部材と、第１空間内またはカバー部材の外側に配置された二酸化炭素発生剤とを備える。
【０００４】
また、特開２０１４−１８３７４４号公報（特許文献３）には、画像読取方法、画像抽出方法、透明シート及び画像読取装置が開示されている。特許文献３によると、一端部回りに回動可能に設けられた棒状の挟持体を備える画像読取装置により、粘着シートに粘着した虫を分析するための画像を読み取る画像読取方法であって、粘着シートに設けられた粘着面と、粘着面の縁部に配置すべき図形を設けた透明シートとを、透明シートが粘着面を覆うように貼付け、画像読取装置の読取部と挟持体との間で透明シート及び粘着シートを挟持し、挟持した透明シート及び粘着シートの画像を読取部で読み取ることを特徴とする画像読取方法が提供される。
【０００５】
また、特開２００９−１０６３００号公報（特許文献４）には、捕虫装置及び捕虫シートの検査方法が開示されている。特許文献４によると、虫が侵入可能な開口部を有する長尺な筐体の内部に、外部の虫を内部に誘引するための誘虫手段と、虫を捕獲するための粘着面が設けられる帯状の捕虫シートを筐体の長手方向に沿って保持可能な保持部とを備える捕虫装置において、捕虫シートの全長を撮像可能にすべく、捕虫シートの長手方向に沿って移動可能な撮像部を備えることを特徴とする。
【先行技術文献】
【特許文献】
【０００６】
【特許文献１】特開２０１８−１７４９３９号公報
【特許文献２】国際公開第２０１８／２３５３０５号パンフレット
【特許文献３】特開２０１４−１８３７４４号公報
【特許文献４】特開２００９−１０６３００号公報
【発明の概要】
【発明が解決しようとする課題】
【０００７】
本発明の目的は、装置の周囲の環境に応じた虫の数に関する情報をユーザに提供することができる捕虫システムを提供することにある。
【課題を解決するための手段】
【０００８】
本発明のある態様に従うと、捕虫機構と、制御部とを備える捕虫システムが提供される。制御部は、捕虫機構の周囲の環境情報に基づいて、現在または将来の捕虫機構の周囲の虫の数に関する情報を出力する。
【発明の効果】
【０００９】
以上のように、本発明によれば、装置の周囲の環境に応じた虫の数に関する情報をユーザに提供することができる捕虫システムを提供することができる。
【図面の簡単な説明】
【００１０】
【図１】第１の実施の形態にかかるネットワークシステム１の全体構成と動作概要を示すイメージ図である。
【図２】第１の実施の形態にかかるサーバ１００の構成の一態様を示すブロック図である。
【図３】第１の実施の形態にかかるユーザ情報データ１２１を示すイメージ図である。
【図４】第１の実施の形態にかかる機器情報データ１２２を示すイメージ図である。
【図５】第１の実施の形態にかかる環境と虫の対応関係データ１２３を示すイメージ図である。
【図６】第１の実施の形態にかかるサーバ１００における情報処理を示すフローチャートである。
【図７】第１の実施の形態にかかる空気清浄機２００の構成の一態様を示すブロック図である。
【図８】第１の実施の形態にかかる通信端末３００の構成の一態様を示すブロック図である。
【図９】第２の実施の形態にかかる環境と虫の対応関係データ１２３Ｂを示すイメージ図である。
【図１０】第２の実施の形態にかかる環境と虫の対応関係データ１２３Ｃを示すイメージ図である。
【図１１】第３の実施の形態にかかる環境と虫の対応関係の履歴データ１２３Ｄを示すイメージ図である。
【図１２】第４の実施の形態にかかる操作情報データ１２４を示すイメージ図である。
【図１３】第４の実施の形態にかかるサーバ１００における情報処理を示すフローチャートである。
【図１４】第７の実施の形態にかかる空気清浄機２００における情報処理を示すフローチャートである。
【発明を実施するための形態】
【００１１】
以下、図面を参照しつつ、本発明の実施の形態について説明する。以下の説明では、同一の部品には同一の符号を付してある。それらの名称および機能も同じである。したがって、それらについての詳細な説明は繰り返さない。なお、以下では、捕虫装置の一例として、空気中からホコリや虫を取り除く空気清浄機に関して説明を行う。すなわち、捕虫システムの一例として空気清浄システムに関して説明を行い、捕虫機構の一例として空気清浄機構に関して説明を行う。つまり、捕虫装置には、虫を取り除くことに特化した機能を有しないタイプの空気清浄機や空気調和機やその他の装置、あるいは逆に、虫を取り除くための機能を有したり、補足した虫の数をフィードバックしたり、予測される虫の数に応じて、例えば、ＵＶランプの強度または点灯パターン、ファンの回転数、および二酸化炭素を発生させるための光触媒に対する光の照射量を制御する捕虫装置や空気清浄機やその他の装置などが含まれる。
＜第１の実施の形態＞
＜ネットワークシステム１の全体構成と動作概要＞
【００１２】
まず、図１（Ａ）を参照して、本実施の形態にかかるネットワークシステム１の全体構成について説明する。本実施の形態にかかるネットワークシステム１は、主に、空気清浄機制御用のサーバ１００と、天気予報サーバ１００Ｂと、インターネットやルータなどを介してサーバ１００に接続可能な空気清浄機２００と、インターネットやルータなどを介してサーバ１００に接続可能な通信端末３００とを含む。
【００１３】
なお、空気清浄機２００は、空気を清浄するための機能を有すればよく、床に置く空気清浄専用の装置に限らず、加湿機能を有する空気清浄機や、空気清浄機能を有するエアコンなどであってもよい。また、通信端末３００も、スマートフォンに限らず、ユーザが持ち運び可能であって、通信機能を有すればよく、タブレット端末やウェアラブル端末やスピーカやロボットや自動式掃除機やゲーム機やパーソナルコンピュータなどであってもよい。
【００１４】
次に、図１を参照して、本実施の形態にかかるネットワークシステム１の動作概要について説明する。まず、サーバ１００は、温度や湿度に対応する虫の数に関する情報を参照可能である。
【００１５】
そして、空気清浄機２００は、自身の周囲の温度や湿度を測定して、当該温度や湿度をサーバ１００に送信する。サーバ１００は、空気清浄機２００からの温度や湿度を取得して、当該温度や湿度に対応する虫の数に関する情報、たとえば、虫が多いか少ないかの情報や蚊が何匹いるかの予想値など、を特定して空気清浄機２００やユーザの通信端末３００などに送信する。空気清浄機２００やユーザの通信端末３００は、サーバ１００からのデータに応じて、虫の数に関する情報を音声出力したり、表示したりする。以下、このような機能を実現するためのネットワークシステム１の具体的な構成について詳述する。
＜サーバ１００のハードウェア構成＞
【００１６】
図２を参照して、本実施の形態にかかるネットワークシステム１を構成するサーバ１００のハードウェア構成の一態様について説明する。サーバ１００は、主たる構成要素として、ＣＰＵ（Central Processing Unit）１１０と、メモリ１２０と、操作部１４０と、通信インターフェイス１６０とを含む。
【００１７】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００１８】
メモリ１２０は、各種のＲＡＭ（Random  Access  Memory）、各種のＲＯＭ（Read-Only  Memory）などによって実現され、サーバ１００に内包されているものであってもよいし、サーバ１００の各種インターフェイスに着脱可能なものであってもよいし、サーバ１００からアクセス可能な他の装置の記録媒体であってもよい。メモリ１２０は、ＣＰＵ１１０によって実行されるプログラムや、ＣＰＵ１１０によるプログラムの実行により生成されたデータ、入力されたデータ、ユーザ情報データ１２１、機器情報データ１２２、環境と虫の数の対応関係データ１２３、その他の本実施の形態にかかるサービスに利用されるデータベースなどを記憶する。
【００１９】
図３を参照して、本実施の形態にかかるユーザ情報データ１２１は、本サービスに登録されているユーザ毎に、ユーザの識別情報と、ユーザ名と、ユーザが属するグループの識別情報と、ユーザの住所などの対応関係を含む。なお、ユーザが属するグループとは、ユーザの家族や、ユーザのルームメイトや、ユーザが属する部署などが上げられる。
【００２０】
図４を参照して、本実施の形態にかかる機器情報データ１２２は、本サービスに登録されている空気清浄機２００毎に、空気清浄機２００の識別情報と、空気清浄機２００の機種名と、空気清浄機２００のユーザの識別情報と、空気清浄機２００の動作状態と、空気清浄機２００の周囲の環境情報などの対応関係を含む。
【００２１】
図５を参照して、本実施の形態にかかる対応関係データ１２３は、温度と湿度と虫の数に関する情報などの対応関係を含む。
【００２２】
図２に戻って、操作部１４０は、サービスの管理者などの命令を受け付けて、当該命令をＣＰＵ１１０に入力する。
【００２３】
通信インターフェイス１６０は、ＣＰＵ１１０からのデータを、インターネット、キャリア網、ルータなどを介して、空気清浄機２００や通信端末３００などの他の装置に送信する。逆に、通信インターフェイス１６０は、インターネット、キャリア網、ルータなどを介して空気清浄機２００や通信端末３００などの他の装置からのデータを受信して、ＣＰＵ１１０に受け渡す。
＜サーバ１００における情報処理＞
【００２４】
次に、図６を参照しながら、本実施の形態にかかるサーバ１００における情報処理について説明する。サーバ１００のＣＰＵ１１０は、通信インターフェイス１６０を介して、空気清浄機２００からデータを受信すると以下の処理を実行する。
【００２５】
ＣＰＵ１１０は、受信したデータから空気清浄機２００に関する温度や湿度などを読み出して機器情報データ１２２に格納する（ステップＳ１０２）。ＣＰＵ１１０は、対応関係データ１２３を参照して、環境情報に対応する虫の数に関する情報を特定する（ステップＳ１０４）。ＣＰＵ１１０は、数に関する情報を知らせるための音声データまたはテキストデータを作成する（ステップＳ１０６）。たとえば、「今日は蚊が多いみたいですよ。気を付けて。」という音声メッセージや、「今日は虫が少ないから窓を開けて空気を入れ替えましょう。」というテキストメッセージを作成する。
【００２６】
ＣＰＵ１１０は、通信インターフェイス１６０を介して音声メッセージまたはテキストデータを空気清浄機２００に送信する（ステップＳ１０８）。これによって、空気清浄機２００は、音声データに基づいて音声メッセージを出力したり、テキストデータに基づいてメッセージを表示したりする。
【００２７】
なお、ＣＰＵ１１０は、ユーザ情報データ１２１や機器情報データ１２２を参照して、空気清浄機２００のユーザや家族の通信端末３００を特定し、通信インターフェイス１６０を介して音声メッセージまたはテキストデータを通信端末３００に送信する（ステップＳ１０８）。これによって、通信端末３００は、音声データに基づいて音声メッセージを出力したり、テキストデータに基づいてメッセージを表示したりする。
＜空気清浄機２００のハードウェア構成＞
【００２８】
図７を参照して、ネットワークシステム１を構成する空気清浄機２００のハードウェア構成の一態様について説明する。本実施の形態にかかる空気清浄機２００は、主たる構成要素として、ＣＰＵ２１０と、メモリ２２０と、ディスプレイ２３０と、操作部２４０と、通信インターフェイス２６０と、スピーカ２７０と、マイク２８０と、機器駆動部２９０と、温度センサ２９１と、湿度センサ２９２と、誘引ランプ２９３とを含む。
【００２９】
ＣＰＵ２１０は、メモリ２２０あるいは外部の記憶媒体に記憶されているプログラムを実行することによって、空気清浄機２００の各部を制御する。
【００３０】
メモリ２２０は、各種のＲＡＭや、各種のＲＯＭなどによって実現される。メモリ２２０は、ＣＰＵ２１０によって実行される調理プログラムまたは他のプログラムや、ＣＰＵ２１０によるプログラムの実行により生成されたデータ、サーバ１００やサーバ１００から受信したデータ、操作部２４０を介して入力されたデータなどを記憶する。
【００３１】
ディスプレイ２３０は、ＣＰＵ１１０からの信号に基づいて、文字や画像などを出力する。操作部２４０は、ボタン、タッチパネルなどによって実現され、ユーザからの命令を受け付けて、当該命令をＣＰＵ２１０に入力する。なお、ディスプレイ２３０と操作部２４０とは、タッチパネル２５０を構成してもよい。
【００３２】
通信インターフェイス２６０は、アンテナやコネクタなどの通信モジュールによって実現される。通信インターフェイス２６０は、ルータなどを介して有線通信あるいは無線通信によって他の装置との間でデータをやり取りする。本実施の形態においては、ＣＰＵ２１０は、通信インターフェイス２６０を介して、サーバ１００や通信端末３００などの他の装置から各種の制御命令を受信したり、サーバ１００や通信端末３００などの他の装置に各種の情報を送信したりする。
【００３３】
スピーカ２７０は、ＣＰＵ２１０からの信号に基づいて、音声を出力する。マイク２８０は、外部からの音声に基づいて音声信号を作成し、ＣＰＵ２１０に入力する。
【００３４】
機器駆動部２９０は、ＣＰＵ２１０からの信号に基づいて、電気機器の各部（モータやアクチュエータやヒータやリモコン用赤外線発信装置など）を制御することによって、空気を吸い込んだり吐き出したり、空気中のホコリや虫などをフィルタによって取り除いたり、イオンを放出したりするものである。
【００３５】
温度センサ２９１は、空気清浄機２００が吸い込む空気の温度を測定して、測定結果をＣＰＵ２１０に受け渡す。
【００３６】
湿度センサ２９２は、空気清浄機２００が吸い込む空気の湿度を測定して、測定結果をＣＰＵ２１０に受け渡す。
【００３７】
誘引ランプ２９３は、空気清浄機２００の空気の吸い込み口の近傍に設けられ、ＣＰＵ２１０からの指示に従って、点灯したり、消灯したり、強度を変更したりする。
【００３８】
なお、機器駆動部２９０や誘引ランプ２９３などの空気清浄のための主なユニットを合わせて「空気清浄機構」とも言う。
【００３９】
本実施の形態においては、ＣＰＵ２１０は、操作部２４０を介して通常の空気清浄運転を開始する命令や終了する命令や運転モードの設定命令や運転強度の設定命令を受け付けて、当該命令に基づいて機器駆動部２９０を制御する。あるいは、ＣＰＵ２１０は、通信インターフェイス２６０を介してサーバ１００から、通常の空気清浄運転を開始する命令や終了する命令や運転モードの設定命令や運転強度の設定命令を受け付けて、当該命令に基づいて機器駆動部２９０を制御する。
【００４０】
特に本実施の形態においては、ＣＰＵ２１０は、測定した温度や湿度を環境情報として、通信インターフェイス２６０を介してサーバ１００に送信する。そして、ＣＰＵ２１０は、通信インターフェイス２６０を介してサーバ１００から音声データを受信して、スピーカ２７０に音声メッセージを出力させたり、通信インターフェイス２６０を介してサーバ１００からテキストデータを受信して、ディスプレイ２３０にメッセージを表示させたりする。
＜通信端末３００の構成＞
【００４１】
次に、図８を参照して、ネットワークシステム１を構成する通信端末３００の構成の一態様について説明する。本実施の形態にかかる通信端末３００は、主たる構成要素として、ＣＰＵ３１０と、メモリ３２０と、ディスプレイ３３０と、操作部３４０と、通信インターフェイス３６０と、スピーカ３７０と、マイク３８０などを含む。
【００４２】
ＣＰＵ３１０は、メモリ３２０に記憶されているプログラムを実行することによって、通信端末３００の各部を制御する。
【００４３】
メモリ３２０は、各種のＲＡＭや、各種のＲＯＭなどによって実現される。メモリ３２０は、各種のアプリケーションプログラムなどのＣＰＵ３１０によって実行されるプログラムや、ＣＰＵ３１０によるプログラムの実行により生成されたデータ、サーバ１００や空気清浄機２００から受信したデータ、操作部３４０を介して入力されたデータ、通信端末３００のユーザを特定するための情報などを記憶する。
【００４４】
ディスプレイ３３０は、ＣＰＵ３１０からのデータに基づいて、画像やテキストを表示する。たとえば、ＣＰＵ３１０は、通信インターフェイス３６０を介してサーバ１００からのテキストデータに基づいてディスプレイ３３０にメッセージを表示させる。操作部３４０は、ポインティングデバイスやスイッチなどから構成され、ユーザからの各種の命令をＣＰＵ３１０に入力する。なお、通信端末３００は、ディスプレイ３３０と操作部３４０とを含むタッチパネル３５０を有してもよい。
【００４５】
通信インターフェイス３６０は、インターネットやキャリア網やルータなどを介して、サーバ１００や空気清浄機２００などの他の装置との間でデータを送受信する。たとえば、ＣＰＵ３１０は、メモリ３２０のアプリケーションプログラムに従って、通信インターフェイス３６０を介して、サーバ１００から各種のデータを受信したり、タッチパネル３５０を介してユーザから受け付けた各種命令をサーバ１００や空気清浄機２００などの他の装置に送信したりする。
【００４６】
スピーカ３７０は、ＣＰＵ３１０からのデータに基づいて音声を出力する。たとえば、ＣＰＵ３１０は、通信インターフェイス３６０を介してサーバ１００からの音声データをスピーカ３７０に出力させる。マイク３８０は、取得した音声信号をＣＰＵ３１０に入力する。たとえば、ＣＰＵ３１０は、マイク３８０から取得した音声データは通信インターフェイス３６０を介してサーバ１００に送信する。
【００４７】
そして、本実施の形態においては、ＣＰＵ３１０は、通信インターフェイス３６０を介してサーバ１００から音声データを受信して、スピーカ３７０に音声メッセージを出力させたり、通信インターフェイス３６０を介してサーバ１００からテキストデータを受信して、ディスプレイ３３０にメッセージを表示させたりする。
＜第２の実施の形態＞
【００４８】
上記の実施の形態においては、測定した温度および湿度と、虫の多少と、の対応関係に基づいて適切な情報を提供するものであった。しかしながら、たとえば、図９に示すように、温度と、虫の多少と、の対応関係データ１２３Ｂに基づいてメッセージを作成したり、出力したりしてもよい。
【００４９】
あるいは、図１０に示すように、季節毎や、月毎や、天気毎や、地域毎に、測定した温度および湿度と、虫の多少と、の対応関係データ１２３Ｃに基づいてメッセージを作成したり、出力したりしてもよい。
＜第３の実施の形態＞
【００５０】
上記の実施の形態においては、温度や湿度などと、虫の多少と、の対応関係が、予め、メモリ１２０のデータベースとして準備されるものであった。しかしながら、たとえば、図１１に示すように、サービスを提供する空気清浄機２００毎に、温度や湿度と、虫の数と、虫の多少に関する情報などの対応関係の履歴データ１２３Ｄを蓄積してもよい。
【００５１】
より詳細には、ＡＩ学習などを利用することによって空気清浄機２００が捕まえた虫の数を自動的に計測したり、ユーザが虫の数や多少を示す情報を空気清浄機２００に入力したりすることによって、空気清浄機２００のＣＰＵ２１０が、通信インターフェイス２６０を介して、温度と湿度と虫の数との組み合わせをサーバ１００に提供する。なお、捕まえた虫の数を計測する方法としては、空気清浄機が有する捕虫機構、たとえば捕虫かご、粘着性のある捕虫シート、捕虫網など、によってトラップした虫を、（１）ユーザが直接カウントする方法、（２）機器に内蔵する赤外カメラを利用する方法、捕虫シートに光を投影したりして空気清浄機２００が自動的にカウントする方法などが考えられる（国際公開第２０１７／２０８４９１号パンフレットなど）。サーバ１００のＣＰＵ１１０は、空気清浄機２００からの温度と湿度と虫の数とを受け付けると、履歴データとしてメモリ１２０に蓄積する。これによって、ＣＰＵ１１０は、通信インターフェイス１６０を介して、空気清浄機２００から温度や湿度を取得すると、当該温度や湿度に似通った履歴データに基づいて虫の数を予測することができる。
【００５２】
なお、ＣＰＵ１１０は、季節毎や、月毎や、天気毎や、地域毎に、複数の空気清浄機２００から取得した、温度や湿度と、虫の数と、虫の多少に関する情報などの対応関係の履歴データ１２３Ｄを蓄積してもよい。これによって、ＣＰＵ１１０は、通信インターフェイス１６０を介して、空気清浄機２００から温度や湿度を取得すると、当該空気清浄機２００の地域の複数の空気清浄機２００からの履歴データを蓄積することによって作成された対応関係を利用して、今回の温度や湿度に似通った履歴データに基づいて虫の数を予測することができる。
＜第４の実施の形態＞
【００５３】
上記の実施の形態においては、測定した温度および湿度と、虫の多少と、の対応関係に基づいて適切な情報を提供するものであった。しかしながら、たとえば、測定した温度および湿度と、虫の多少と、の対応関係に基づいて、空気清浄機２００に適切な動作を実行させてもよい。
【００５４】
より詳細には、図１２に示すような、サーバ１００のメモリ１２０は、操作情報データ１２４を記憶してもよい。操作情報データ１２４は、虫の数と、適切な操作情報と、の対応関係を格納する。
【００５５】
次に、図１３を参照しながら、本実施の形態にかかるサーバ１００における情報処理について説明する。サーバ１００のＣＰＵ１１０は、上記の実施の形態の処理に加えて、ＣＰＵ１１０は、操作情報データ１２４を参照して、虫の数に対応する空気清浄機２００の動作を特定する（ステップＳ１１０）。ＣＰＵ１１０は、通信インターフェイス１６０を介して特定した動作を実行させるための命令を空気清浄機２００に送信する（ステップＳ１１２）。これによって、空気清浄機２００のＣＰＵ２１０は、通信インターフェイス２６０を介してサーバ１００から受信した命令に基づいて、機器駆動部２９０や誘引ランプ２９３などを動作させる。
＜第５の実施の形態＞
【００５６】
上記の実施の形態においては、空気清浄機２００で測定した温度および湿度に基づいて適切な情報を提供するものであった。しかしながら、別の装置からの情報、たとえば天気予報データなどに基づいて、虫の数に関する情報を提供してもよい。具体的には、図６のステップＳ１０２において、サーバ１００のＣＰＵ１１０は、空気清浄機２００毎に、ユーザ情報データ１２１や機器情報データ１２２を参照することによって空気清浄機２００が置かれている地域を特定し、当該空気清浄機２００の環境情報として、通信インターフェイス１６０を介して天気予報サーバ１００Ｂから当該地域の天候や温度や湿度などを取得してもよい。
＜第６の実施の形態＞
【００５７】
上記の実施の形態においては、取得した現在の温度および湿度と、虫の多少と、の対応関係に基づいて適切な現在の情報を提供するものであった。しかしながら、たとえば、翌日や翌々日などの将来の天気や温度や湿度などの環境情報と、虫の多少と、の対応関係に基づいて将来に関する情報を提供してもよい。
【００５８】
図６を参照して、本実施の形態においては、サーバ１００のＣＰＵ１１０は、空気清浄機２００毎に、ユーザ情報データ１２１や機器情報データ１２２を参照することによって空気清浄機２００が置かれている地域を特定し、通信インターフェイス１６０を介して、天気予報サーバ１００Ｂから翌日や翌々日などの当該地域の将来の天候や温度や湿度などを空気清浄機２００の環境情報として取得する（ステップＳ１０２）。
【００５９】
ＣＰＵ１１０は、対応関係データ１２３を参照して、環境情報に対応する虫の数に関する情報を特定する（ステップＳ１０４）。ＣＰＵ１１０は、翌日や翌々日などの将来の虫の数に関する情報を知らせるための音声データまたはテキストデータを作成する（ステップＳ１０６）。たとえば、「明日は蚊が多いみたいですよ。気を付けて。」という音声メッセージや、「日曜日は虫が少ないから窓を開けて大掃除をしてはいかかですか。」というテキストメッセージを作成する。
【００６０】
ＣＰＵ１１０は、通信インターフェイス１６０を介して音声メッセージまたはテキストデータを空気清浄機２００に送信する（ステップＳ１０８）。これによって、空気清浄機２００は、音声データに基づいて音声メッセージを出力したり、テキストデータに基づいてメッセージを表示したりする。
【００６１】
なお、ＣＰＵ１１０は、ユーザ情報データ１２１や機器情報データ１２２を参照して、空気清浄機２００のユーザの通信端末３００を特定し、通信インターフェイス１６０を介して音声メッセージまたはテキストデータを通信端末３００に送信する（ステップＳ１０８）。これによって、通信端末３００は、音声データに基づいて音声メッセージを出力したり、テキストデータに基づいてメッセージを表示したりする。
＜第７の実施の形態＞
【００６２】
上記の実施の形態のネットワークシステム１の各装置の役割の一部または全部を他の装置が実行してもよい。たとえば、サーバ１００や空気清浄機２００や通信端末３００の各々の役割の一部または全部を別の装置が担ったり、サーバ１００や空気清浄機２００や通信端末３００の各々の役割の一部または全部を複数の装置で担ったり、サーバ１００や空気清浄機２００や通信端末３００のいずれかがサーバ１００や空気清浄機２００や通信端末３００のいずれかの役割の一部または全部を担ったりしてもよい。
【００６３】
具体的な一例として、空気清浄機２００がローカルで各種の処理を実行してもよい。この場合は、メモリ２２０が、対応関係データ１２３，１２３Ｂ，１２３Ｃ，１２３Ｄや操作情報データ１２４などを記憶する。そして、空気清浄機２００のＣＰＵ２１０が、メモリ２２０のプログラムに従って、以下の処理を実行する。
【００６４】
図１４を参照して、ＣＰＵ２１０は、温度センサ２９１を用いて温度を測定したり、湿度センサ２９２を用いて湿度を測定したりする（ステップＳ２０２）。ＣＰＵ２１０は、対応関係データ１２３，１２３Ｂ，１２３Ｃを参照して、環境情報に対応する虫の数に関する情報を特定する（ステップＳ２０４）。ＣＰＵ２１０は、数に関する情報を知らせるための音声データまたはテキストデータを作成する（ステップＳ２０６）。たとえば、「今日は蚊が多いみたいですよ。気を付けて。」という音声メッセージや、「今日は虫が少ないから窓を開けて空気を入れ替えましょう。」というテキストメッセージを作成する。
【００６５】
ＣＰＵ２１０は、音声データに基づいてスピーカ２７０に音声メッセージを出力させたり、テキストデータに基づいてディスプレイ２３０にメッセージを表示させたりする（ステップＳ２０８）。
【００６６】
ＣＰＵ２１０は、操作情報データ１２４を参照することによって、虫の数に基づいて空気清浄機構を操作する（ステップＳ２１０）。
【００６７】
その他、空気清浄機２００が天気予報をサーバ１００Ｂから取得して虫の数をローカルで計算するような形態であってもよく、または、虫の数をサーバ１００に送信して操作命令や音声メッセージをサーバ１００から取得するような形態であってもよい。
＜まとめ＞
【００６８】
上記の実施の形態においては、捕虫機構と、制御部とを備える捕虫システムが提供される。制御部は、捕虫機構の周囲の環境情報に基づいて、現在または将来の捕虫機構の周囲の虫の数に関する情報を出力する。
【００６９】
好ましくは、制御部は、環境情報と虫の数の組み合わせの履歴に基づいて、現在または将来の捕虫機構の周囲の虫の数に関する情報を作成する。
【００７０】
好ましくは、制御部は、捕虫機構の周囲の虫の数に基づいて、捕虫機構を操作する。
【００７１】
好ましくは、捕虫機構は捕虫装置に搭載される。制御部は、捕虫装置と通信可能なサーバに搭載される。制御部は、現在または将来の捕虫機構の周囲の虫の数に関する情報を捕虫装置または通信端末に出力させる。
【００７２】
好ましくは、捕虫機構と、制御部と、スピーカまたはディスプレイと、が捕虫装置に搭載される。制御部は、現在または将来の捕虫機構の周囲の虫の数に関する情報をスピーカまたはディスプレイから出力させる。
【００７３】
上記の実施の形態においては、複数の捕虫装置と通信するための通信インターフェイスと、通信インターフェイスを利用することによって、捕虫装置の周囲の環境情報を取得して、現在または将来の捕虫装置の周囲の虫の数に関する情報を捕虫装置または通信端末に出力させるためのプロセッサと、を備えるサーバが提供される。
【００７４】
上記の実施の形態においては、プロセッサが、通信インターフェイスを介して、捕虫装置の周囲の環境情報を取得するステップと、プロセッサが、当該環境情報に基づいて現在または将来の捕虫装置の周囲の虫の数に関する情報を捕虫装置または通信端末に出力させるステップと、を備える情報処理方法が提供される。
【００７５】
上記の実施の形態においては、捕虫機構と、サーバと通信するための通信インターフェイスと、プロセッサと、スピーカまたはディスプレイと、を備える捕虫装置が提供される。プロセッサは、通信インターフェイスを介してサーバから、現在または将来の捕虫機構の周囲の虫の数に関する情報を受信してスピーカまたはディスプレイから出力させる。
【００７６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７７】
１        ：ネットワークシステム
１００    ：サーバ
１００Ｂ  ：天気予報サーバ
１１０    ：ＣＰＵ
１２０    ：メモリ
１２１    ：ユーザ情報データ
１２２    ：機器情報データ
１２３    ：対応関係データ
１２３Ｂ  ：対応関係データ
１２３Ｃ  ：対応関係データ
１２３Ｄ  ：履歴データ
１２４    ：操作情報データ
１４０    ：操作部
１６０    ：通信インターフェイス
２００    ：空気清浄機
２１０    ：ＣＰＵ
２２０    ：メモリ
２３０    ：ディスプレイ
２４０    ：操作部
２５０    ：タッチパネル
２６０    ：通信インターフェイス
２７０    ：スピーカ
２８０    ：マイク
２９０    ：機器駆動部
２９１    ：温度センサ
２９２    ：湿度センサ
２９３    ：誘引ランプ
３００    ：通信端末
３１０    ：ＣＰＵ
３２０    ：メモリ
３３０    ：ディスプレイ
３４０    ：操作部
３５０    ：タッチパネル
３６０    ：通信インターフェイス
３７０    ：スピーカ
３８０    ：マイク
【図１】
2020184932.tif 000003
【図２】
2020184932.tif 000004
【図３】
2020184932.tif 000005
【図４】
2020184932.tif 000006
【図５】
2020184932.tif 000007
【図６】
2020184932.tif 000008
【図７】
2020184932.tif 000009
【図８】
2020184932.tif 000010
【図９】
2020184932.tif 000011
【図１０】
2020184932.tif 000012
【図１１】
2020184932.tif 000013
【図１２】
2020184932.tif 000014
【図１３】
2020184932.tif 000015
【図１４】
2020184932.tif 000016